(57)【要約】【課題】確実に室外熱交換器の位置決め及び固定を行うことができて、熱交換性能を向上させることができ、かつ、室外機筐体を大容量の室外熱交換器、室外送風ファンが収容可能なようにしても、変形することなく、強固な室外機筐体を備えた空気調和装置の室外機を提供する。【解決手段】本空気調和装置の室外機は、室外熱交換器の上端縁部を挟持する係止片部が設けられ、上部一側端が前記室外機筐体の一部を形成する天板に固定された室外送風機用モータベースを備える。【選択図】  図３
2006177620.tif 000002
【特許請求の範囲】
【請求項１】
室外熱交換器、送風機及び圧縮機が室外機筐体に収容されてなる空気調和装置の室外機において、前記室外熱交換器の上端部を挟持する係止片部が設けられ、上部一側端が前記室外機筐体の一部を形成する天板に固定された室外送風機用モータベースを備えたことを特徴とする空気調和装置の室外機。
【請求項２】
前記室外熱交換器は、複数の熱交換器を空気流通方向に重ねてなり、前記係止片部は、複数の熱交換器のうち下流側に位置する熱交換器の上端縁部を挟持することを特徴とする請求項１に記載の空気調和装置の室外機。
【請求項３】
前記室外送風機用モータベースは、前記室外機筐体の前面板にも固定されたことを特徴とする請求項１または２に記載の空気調和装置の室外機。
【発明の詳細な説明】
【技術分野】
【０００１】
本発明は空気調和装置の室外機に係り、特に室外送風機用ファンモータを固定するモータベースの構造を改良した空気調和装置の室外機に関する。
【背景技術】
【０００２】
従来、空気調和装置の室外機に用いられるモータベースには、下部を底板にネジ止めし、上部の一方を室外熱交換器の上端部に引掛け、上部の他方を室外機筐体の前面パネルに係合するものが知られている（特許文献１）。
【０００３】
近年、設置スペースや据付作業の面から運転能力をそのままにした省スペースな空気調和装置が望まれ、運転能力を落とさずに省スペース化するために、室外機筐体内にできるだけ大容量の室外熱交換器を配置したり、室外送風ファンの送風量を大きくする等の方法が考えられている。
【０００４】
そこで、確実に室外熱交換器の位置決め及び固定を行うことができ、かつ、大容量の室外熱交換器、室外送風ファン収容しても、変形することなく、強固な室外機筐体を備えた空気調和装置の室外機が要望されている。
【特許文献１】特開２００３−２８４６２号公報
【発明の開示】
【発明が解決しようとする課題】
【０００５】
本発明は上述した事情を考慮してなされたもので、確実に室外熱交換器の位置決め及び固定を行うことができて、熱交換性能を向上させることができ、かつ、大容量の室外熱交換器、室外送風ファンを収容しても、変形することなく、強固な室外機筐体を備えた空気調和装置の室外機を提供することを目的とする。
【課題を解決するための手段】
【０００６】
上述した目的を達成するため、本発明に係る空気調和装置の室外機は、室外熱交換器、送風機及び圧縮機が室外機筐体に収容されてなる空気調和装置の室外機において、前記室外熱交換器の上端部を挟持する係止片部が設けられ、上部一側端が前記室外機筐体の一部を形成する天板に固定された室外送風機用モータベースを備えたことを特徴とする。
【発明の効果】
【０００７】
本発明に係わる空気調和装置の室外機によれば、確実に室外熱交換器の位置決め及び固定を行うことができて、熱交換性能を向上させることができ、かつ、大容量の室外熱交換器、室外送風ファンを収容しても、変形することなく、強固な室外機筐体を備えた空気調和装置の室外機を提供することができる。
【発明を実施するための最良の形態】
【０００８】
以下、本発明に係る空気調和装置の室外機の一実施形態について添付図面を参照して説明する。
【０００９】
図１は本発明に係る空気調和装置の室外機の斜視図、図２はその室外機筐体を除去した斜視図である。
【００１０】
図１及び図２に示すように、本実施形態の空気調和機の室外機１は、室外機筐体２を備え、この室外機筐体２は底板３と、この底板３から立設され吹出口４ａが設けられた前面板４と、この前面板４に連設されかつ、底板３から立設され吸込側となる側面ワイヤーガード５及び機械室側板（図示せず）と、前面板４、側面ワイヤーガード５及び機械室側板で形成される上部開口を覆うように載置された天板６で構成されている。
【００１１】
また、室外機筐体２内は仕切板７によって、熱交換室８と機械室９に区画され、熱交換室８には底板３上に載置されて送風機１０、熱交換器１１が収容されている。
【００１２】
さらに、機械室９には底板３上に載置されて圧縮機１２、アキュムレータ１３、現地配管接続部１４、四方弁などの各種弁および冷媒配管、圧縮機１２や送風機１０等を駆動制御する室外制御装置（図示しない）等が収容されている。なお、熱交換室８の側面は通風性を向上させるために板状に換えてワイヤー状の側面ワイヤーガード５が設けられ、機械室の側面は遮音と強度を考慮して板状の機械室側板が用いられている。
【００１３】
前面板４には略中央部に吹出口４ａが設けられ、この吹出口４ａの熱交換室８側にベルマウス（図示しない）が設けられ、外側に吹出グリル４ｂが設けられている。
【００１４】
送風機１０はファン１０ａとこのファン１０ａを回転駆動するファンモータ１０ｂから構成され、ファンモータ１０ｂは、モータベース１５にネジまたはナットで固定され、このモータベース１５は底板３、前面板４、天板６に固定されている。
【００１５】
熱交換器１１は、室外機１の背面側と一側面側に面するように平面視でＬ字形状をなす外側熱交換器１１ａと、この外側熱交換器１１ａよりもＬ字形状の短辺部分が短く形成され、高さ方向に長い内側熱交換器１１ｂとからなっている。
【００１６】
また、この内側熱交換器１１ｂのＬ字形状の短辺部分を外側熱交換器１１ａに比べて短くすることによりファン１０ａとの接触が防止され、また、ファン１０ａの半径および軸方向の長さを大きくでき、送風量を増大させることができるようになっている。
【００１７】
さらに、外側熱交換器１１ａは、送風機１０による空気流通方向の上流側に位置し、内側熱交換器１１ｂは外側熱交換器１１ａよりも下流側に位置している。
【００１８】
外側熱交換器１１ａは、複数枚のアルミフィン１１ａ１に空気流通方向に２列の冷媒パイプ（伝熱管）１１ａ２が千鳥状に貫通しており、端部には背面端板１６ａ、前面端板１６ｂが設けられ、背面端板１６ａは室外機筐体２の背面側に位置し、仕切板７に固定され、前面端板１６ｂは前面側に位置し、底板３および前面板４に固定されている。
【００１９】
また、内側熱交換器１１ｂは、複数枚のアルミフィン１１ｂ１に１列の冷媒パイプ１１ｂ２が貫通しており、端部に背面端板１７ａ、前面端板１７ｂが設けられ、背面端板１７ａは室外機筐体２の背面側に位置し、仕切板７に固定され、前面端板１７ｂは下部が固定具１８を介して底板３に固定される。外側熱交換器１１ａと内側熱交換器１１ｂとは背面側の端部で冷媒配管及びＵパイプ１９により接続されている。
【００２０】
さらに、モータベース１５は、底板３に固定するための下部固定部１５ａと、ファンモータ１０ｂを固定するファンモータ固定部１５ｂ及び図３に示す上部固定部１５ｃとを有している。
【００２１】
図１および図３に示すように、天板６は平面部６ａとその周端部に形成される垂直取付部６ｂを有し、上記のように前面板４、側面ワイヤーガード５及び機械室側板で形成される上部開口を覆い、垂直取付部６ｂで前面板４及び機械室側板に固定されている。さらに、上部固定部１５ｃには、内側熱交換器１１ｂの上端部を挟むための係止部２０が設けられ、さらに、上部固定部１５ｃの一端側の背面側固定部１５ｄが天板６の背面側に固定され、他端側の前面側固定部１５ｅが前面板４の上部に固定されている。
【００２２】
また、モータベース１５の上部固定部１５ｃには、二条の切起こしからなる上記係止部２０が設けられ、この係止部２０は前側係止片部２０ａと背面係止側片部２０ｂとからなり、これらにより内側熱交換器１１ｂの上端部を挟み込むようになっている。
【００２３】
なお、図中符号２１は筐体固定用の固定脚、２２は保守、点検及び修理時に外すサービス板である。
【００２４】
上記のような構造の空気調和機の室外機１において、係止部２０により内側熱交換器１１ｂの上端部を挟み込み、上部固定部１５ｃにおける背面側固定部１５ｄが天板６に固定されるため、内側熱交換器１１ｂと外側熱交換器１１ａとの間に隙間を有することなく内側熱交換器１１ｂを固定でき、熱交換器の位置決めを確実に行なうことができ、熱交換性能を向上させることができる。
【００２５】
また、前面側固定部１５ｅが前面板４に固定されるため、モータベース１５自体が確実に固定され、さらに、上部固定部１５ｃにより、熱交換器１１ａ、１１ｂの位置決めおよび固定だけでなく、熱交換器１１と送風機１０との位置決め、送風機１０と前面板４に設けられたベルマウス及びファンガードとの位置決めも確実に行える。また、熱交換室８の側面を板状からワイヤー状の側面ワイヤーガード５に換えても、天板６がモータベース１５によって支持されているので、室外機筐体２の強度が向上し、出荷あるいは在庫時、積上げられた状態であっても天板の変形を防止できる。
【００２６】
上述のように本実施形態の空気調和機の室外機によれば、確実に室外熱交換器の位置決め及び固定を行うことができて、熱交換性能を向上させることができ、かつ、室外機筐体を大容量の室外熱交換器、室外送風ファンが収容可能なようにしても、変形することなく、強固な室外機筐体を備えた空気調和装置の室外機が実現される。
【図面の簡単な説明】
【００２７】
【図１】本発明に係る空気調和装置の室外機の斜視図。
【図２】本発明に係る空気調和装置の室外機の室外機筐体を除去した斜視図。
【図３】本発明に係る空気調和装置の室外機に用いられるモータベース上部固定部の縦断面図。
【符号の説明】
【００２８】
１…空気調和機の室外機、２…室外機筐体、３…底板、４…前面板、５…側面ワイヤーガード、６…天板、６ａ…平面部、６ｂ…垂直取付部、８…熱交換室、９…機械室、１０…送風機、１１…熱交換器、１１ａ…外側熱交換器、１１ｂ…内側熱交換器、１２…圧縮機、１５…モータベース、１５ａ…下部固定部、１５ｂ…ファンモータ固定部、１５ｃ…上部固定部、１５ｄ…背面側固定部、１５ｅ…前面側固定部、１６ａ…背面端板、１６ｂ…前面端板、１７ａ…背面端板、１７…前面端板、２０…係止部、２０ａ…前側係止片部、２０ｂ…背面係止側片部。
【図１】
2006177620.tif 000003
【図２】
2006177620.tif 000004
【図３】
2006177620.tif 000005